(57)【要約】【課題】転写体のクリーニング手段として、転写部に現像剤と逆極性のクリーニングバイアスを印加する手段を実施する画像形成装置において、現像剤の帯電量が高い場合、クリーニングする現像剤量が多い場合、又は低温低湿環境下においても、良好なクリーニング性を発揮する、低コスト、且つ、像担持体や転写体を破損しない転写体クリーニング手段を備えた画像形成装置を提供する。【解決手段】所定条件に基づいてクリーニング時間を可変にする。【選択図】図１
2005242178.tif 000002
【特許請求の範囲】
【請求項１】
表面にトナー像が形成される像担持体と、該像担持体に対向して表面が移動する転写体と、前記像担持体と前記転写体との間に転写バイアスを印加する転写手段と、を有し、前記転写手段に、前記転写体に付着した現像剤を前記像担持体上に逆転写させるクリーニングバイアスを印加することによって、前記転写体のクリーニングを行う画像形成装置において、
所定条件に基づいて前記クリーニング時間を可変にすることを特徴とする画像形成装置。
【請求項２】
更に、装置が設置されている環境を検出する環境検出手段を有し、該環境検出手段の検出結果に基づいて、前記クリーニング時間を可変にすることを特徴とする請求項１の画像形成装置。
【請求項３】
前記環境は、装置内の温度であり、前記環境検出手段の温度検出結果より、装置内の温度が所定温度より低い時に前記クリーニング時間を、前記所定温度より高い時よりも長くすることを特徴とする請求項２の画像形成装置。
【請求項４】
更に、装置の使用履歴を記憶する使用履歴記憶手段を有し、該使用履歴記憶手段の情報に基づいて、前記クリーニング動作時間を可変にすることを特徴とする請求項１の画像形成装置。
【請求項５】
前記使用履歴記憶手段の情報において、実行した画像形成回数が所定数より多い時に、前記所定数より少ない時よりも前記クリーニング時間を長くすることを特徴とする請求項４の画像形成装置。
【請求項６】
更に、前記転写バイアスが印加される転写部におけるインピーダンスを検出するインピーダンス検出手段を有し、該インピーダンス検出手段の検出結果に基づいて、前記クリーニング時間を可変にすることを特徴とする請求項１の画像形成装置。
【請求項７】
前記インピーダンス検出手段の検出結果において、前記転写部におけるインピーダンスが所定値より大きい時に、それより小さい時よりも前記クリーニング時間を長くすることを特徴とする請求項６の画像形成装置。
【請求項８】
前記所定条件に基づいて、前記クリーニングバイアスが可変であることを特徴とする請求項１〜７のいずれかの項に記載の画像形成装置。
【請求項９】
前記転写体とは前記像担持体との対向部に転写材を搬送する転写材担持体であり、該転写剤担持体が搬送する前記転写材に前記トナー像が転写されることを特徴とする請求項１〜８のいずれかの項に記載の画像形成装置。
【請求項１０】
前記転写体とは前記像担持体から前記トナー像が転写される中間転写体であり、該中間転写体に転写された前記トナー像が転写材に転写されることを特徴とする請求項１〜８のいずれかの項に記載の画像形成装置。
【発明の詳細な説明】
【技術分野】
【０００１】
本発明は、像担持体上にトナー像が形成され、トナー像が転写材に転写されることによって、転写材上に画像を形成し、中間転写体若しくは転写材担持体上に付着した現像剤を像担持体に逆転写することによってクリーニングする画像形成装置に関するものである。
【背景技術】
【０００２】
従来、電子写真方式又は静電記録方式にて転写材に画像を形成する、複写機、プリンタ、ファクシミリ等の画像形成装置においては、像担持体上に現像剤像（トナー像）を形成し、それを転写材に転写する工程を経て画像形成がなされるが、この転写工程に際して、第２の像担持体としての中間転写体としてか、若しくは、第２の像担持体としての転写材を担持する転写材担持体として、ベルト状部材等の転写体を用いることが多い。そして、この転写体に残留した不要なトナーを、像担持体上に静電的に逆転写させて、クリーニングを行う画像形成装置がある。特に、クリーニング時に一定のバイアスを印加して、クリーニングを行うものが開示されている（例えば、特許文献１参照。）。
【０００３】
こうした画像形成装置の従来例として、第２の像担持体である転写材を担持するベルト状部材である転写体上に残留した不要なトナーを静電的にクリーニングする画像形成装置の動作について説明する。
【０００４】
図１３に、それぞれに像担持体を備えた画像形成部であるプロセスステーション２（２ａ、２ｂ、２ｃ、２ｄ）を４個並べて配置した４色フルカラーの電子写真方式を用いた画像形成装置の一例で、いわゆるインライン方式の画像形成装置Ｄの構成を示す。
【０００５】
プロセスステーション２（２ａ、２ｂ、２ｃ、２ｄ）は、それぞれ像担持体として感光ドラム２１（２１ａ、２１ｂ、２１ｃ、２１ｄ）を有しており、各プロセスステーション２にて、感光ドラム２１の表面は、不図示の一次帯電器によって一様に帯電された後、例えばＬＥＤ、レーザなどの露光装置（不図示）による画像情報に基づく露光を受けて静電潜像が形成される。この静電潜像は、現像装置（不図示）によって、それぞれプロセスステーション２毎に定められた各色の現像剤（トナー）が付着され、現像剤像（トナー像）として現像される。
【０００６】
各プロセスステーション２は、プロセスカートリッジＰＣとして、画像形成装置Ｄ本体（不図示）に対して着脱可能になっている。各プロセスカートリッジＰＣは、感光ドラム２１、一次帯電器、現像装置、クリーニング手段（不図示）が一体にまとめられた構成になっている。
【０００７】
図１３を参照すると、画像形成装置Ｄの場合、転写材Ｐは、給紙カセット１８から給紙ローラ１４によって画像形成装置Ｄ内に送り出され、レジストローラ１３、レジスト対向ローラ１０に搬送され、次いで、吸着バイアス電源１２より正極性の吸着バイアスが印加される吸着ローラ１５によって転写材担持体の転写ベルト１と静電的に吸着されて担持搬送される。
【０００８】
画像形成装置Ｄにおいて、転写ベルト１は、駆動ローラ７、吸着対向ローラ６、テンションローラ８、９の４本のローラに巻架されており、転写ベルト１の移動方向（矢印Ｒ１方向）に沿って上流から順に、ブラック、マゼンタ、シアン、イエローの各色のプロセスステーション２ａ、２ｂ、２ｃ、２ｄ、が直列に配置されている。
【０００９】
転写ベルト１に吸着された転写材Ｐは各色のプロセスステーション２ａ〜２ｄを順次通過し感光ドラム２１上の各色のトナー像が静電的に順次転写される。その後これらトナー像は定着装置１６にて加熱及び加圧されることにより転写材Ｐ上に定着されて永久画像が形成される。
【００１０】
この画像形成工程における一連の動作を完了した後、感光ドラム２１はプロセスステーション２内でクリーニング手段によりクリーニングされ、転写ベルト１は除電帯電器１１にて除電されて、次の画像形成プロセスに備える。
【００１１】
上述の転写ベルト１は、通常は表面にトナー像を直接担持することはないので、トナーによって汚染されることは少ない。しかし、ジャム時や非画像部への地カブリトナーが付着する時、転写ベルト１上に直接レジストマークや濃度検出パターンを形成して、これを検出するようなシステム使用時等の場合は転写ベルト１上にトナーが直接付着する。
【００１２】
これを除去するために別途クリーニング装置１７を設けることもできるが、ここでは、転写手段を構成する転写ブレード３（３ａ、３ｂ、３ｃ、３ｄ）にクリーニングバイアスを印加する方法について説明する。
【００１３】
転写工程においては、感光ドラム２１から転写材Ｐには、それらと対向して転写ベルト１を挟んで設けられている転写手段である転写ブレード３（３ａ、３ｂ、３ｃ、３ｄ）によって、トナー像が転写されている。転写ブレード３は、材料として低抵抗の樹脂フィルムが一般的に用いられ、各プロセスステーション２内の感光ドラム２１と転写ベルト１を介して当接しており、転写材にトナー像を転写する時には、転写バイアス電源４ａ、４ｂ、４ｃ、４ｄより転写バイアスが印加される。
【００１４】
従来電子写真方式の画像形成装置においては、例えば感光ドラム２１として負極性の有機感光体、現像剤として負極性のトナーを含む現像装置が使用されている。従って、転写ブレード３は、転写時には、転写バイアス電源４によって正極性の転写バイアスが印加される。
【００１５】
転写ブレード３は、上記のように転写手段の一部として働いているが、転写ベルト１のクリーニング手段としての働きもする。画像形成装置Ｄの場合、転写ベルト１のクリーニング時には、４つの転写ブレード３のうち転写ベルト１移動方向で１番目と３番目に配置される転写ブレード３ａと３ｃに印加されるバイアスが、バイアス切り替えスイッチ５ａ、５ｃによって、正から負に切り替わる。つまり、バイアス切り替えスイッチ５ａ、５ｃによって、転写ブレード３ａ、３ｃの接続されている電源が、正極性バイアスを印加する電源４ａ、４ｃから負極性バイアスを印加する電源４Ａ、４Ｃに切り替わる。そして、各転写ブレード３ａ、３ｂ、３ｃ、３ｄには、クリーニングバイアスとしては、例えば上流ステーションから負、正、負、正の順に印加して、転写ベルト１上に付着したトナーを感光ドラム２１に効率よく逆転写することで転写ベルト１の残留トナーを除去するという提案が既になされている。
【００１６】
詳しく説明すると、例えば、転写ブレード３のうち転写ブレード３ａと３ｃに、転写時と逆電界を形成するクリーニングバイアス（主クリーニングバイアス）を電源４Ａ、４Ｃから印加し、正規極性のトナーを感光ドラム２１に逆転写させ、又、転写ブレード３ｂと３ｄに転写時と同極性のクリーニングバイアス（副クリーニングバイアス）を転写時と同一の電源４ｂ、４ｄから印加し、反転極性のトナーを感光ドラム２１に逆転写させ、転写ベルト１に付着したトナーを各ステーションの感光ドラムへ除去する。
【００１７】
しかしながら、上記のようなクリーニング手段の場合、帯電量が比較的低いトナー（例えば−５〜−３０μＣ／ｇ）の場合は効果的なクリーニング性能を維持できるが、クリーニングするトナー量が多かったり、クリーニングするトナーの帯電量が高かったりする場合は、必ずしも十分な効果が得られない場合がある。そのため、クリーニング時間を多くとることが必要な場合もあり、画像形成部材の劣化等の弊害が発生する懸念がある。
【００１８】
他に、クリーニングし難い要因として、装置が置かれている雰囲気の環境要因がある。例えば、低温低湿環境では、常温常湿や高温多湿環境と比べてクリーニングし難い。これは、低温低湿環境では、前述したようにトナーの帯電量が高くなる傾向があることと、クリーニングバイアスを印加する部分の抵抗が上昇するために、クリーニングに必要な電流が流れ難くなるからである。
【００１９】
又、上記のようなクリーニングバイアス印加だけでは除去しきれない高い帯電量（例えば−４０〜−８０μＣ／ｇ）のトナーに対して、転写ベルト１の周速度を感光ドラム２１より速く設定することで、更に効率よく転写ベルト１のクリーニングを行うことが提案されている。
【００２０】
しかしながら、この場合は転写ベルト１を感光ドラム２１ａ〜２１ｄと別の駆動源で駆動させる必要性があり、コストアップにつながる。又、転写ベルト１と感光ドラム２１の速度を大きくとることでの摺擦による磨耗劣化が発生するために感光ドラム２１の寿命の短縮を招く場合がある。
【特許文献１】特開２００２−２３５１２号公報
【特許文献２】特開平２−１２３３８５号公報
【発明の開示】
【発明が解決しようとする課題】
【００２１】
本発明の目的は、像担持体から現像剤像が転写される第２の像担持体若しくは第２の像担持体を搬送する転写材担持体である転写体のクリーニング手段として、転写部に現像剤と逆極性のクリーニングバイアスを印加する手段を実施する画像形成装置において、現像剤の帯電量が高い場合、クリーニングする現像剤量が多い場合、又は低温低湿環境下においても、良好なクリーニング性を発揮する、低コスト且つ像担持体や転写体を破損しない転写体クリーニング手段を備えた画像形成装置を提供することである。
【課題を解決するための手段】
【００２２】
上記目的は本発明に係る画像形成装置にて達成される。要約すれば、本発明は、表面にトナー像が形成される像担持体と、該像担持体に対向して表面が移動する転写体と、前記像担持体と前記転写体との間に転写バイアスを印加する転写手段と、を有し、前記転写手段に、前記転写体に付着した現像剤を前記像担持体上に逆転写させるクリーニングバイアスを印加することによって、前記転写体のクリーニングを行う画像形成装置において、
所定条件に基づいて前記クリーニング時間を可変にすることを特徴とする画像形成装置を提供する。
【００２３】
本発明の一実施態様によると、更に、装置が設置されている環境を検出する環境検出手段を有し、該環境検出手段の検出結果に基づいて、前記クリーニング時間を可変にし、その時、前記環境は、装置内の温度であり、前記環境検出手段の温度検出結果より、装置内の温度が所定温度より低い時に前記クリーニング時間を、前記所定温度より高い時よりも長くすることが多い。
【００２４】
本発明の他の実施態様によると、更に、装置の使用履歴を記憶する使用履歴記憶手段を有し、該使用履歴記憶手段の情報に基づいて、前記クリーニング動作時間を可変にし、その時、実行した画像形成回数が所定数より多い時に、前記所定数より少ない時よりも前記クリーニング時間を長くすることが多い。
【００２５】
本発明の他の実施態様によると、更に、前記転写バイアスが印加される転写部におけるインピーダンスを検出するインピーダンス検出手段を有し、該インピーダンス検出手段の検出結果に基づいて、前記クリーニング時間を可変にし、その時、前記転写部におけるインピーダンスが所定より大きい時に、それより小さい時よりも前記クリーニング時間を長くすることが多い。
【００２６】
本発明の他の実施態様によると、前記所定条件に基づいて、前記クリーニングバイアスが可変である。
【００２７】
本発明の他の実施態様によると、前記転写体とは前記像担持体との対向部に転写材を搬送する転写材担持体であり、該転写剤担持体が搬送する前記転写材に前記トナー像が転写されるか、又は、前記転写体とは前記像担持体から前記トナー像が転写される中間転写体であり、該中間転写体に転写された前記トナー像が転写材に転写される。
【発明の効果】
【００２８】
本発明の画像形成装置は、表面にトナー像が形成される像担持体と、像担持体に対向して表面が移動する転写体と、像担持体と転写体との間に転写バイアスを印加する転写手段と、を有し、転写手段に、転写体に付着した現像剤を像担持体上に逆転写させるクリーニングバイアスを印加することによって、転写体のクリーニングを行う画像形成装置において、所定条件に基づいてクリーニング時間を可変にするので、装置のクリーニング時間を任意に変更でき、最適なクリーニング時間を選択し、クリーニング性の良好な条件においては、少ないクリーニング時間でクリーニングでき、且つ、画像形成部材の劣化等の弊害も防ぐことができる。
【発明を実施するための最良の形態】
【００２９】
以下、本発明に係る画像形成装置を図面に則して更に詳しく説明する。
【００３０】
実施例１
図１の概略構成図にて示される画像形成装置Ａは、それぞれ異なる色のトナー像を形成する４個の画像形成部であるプロセスステーション２ａ〜２ｄを有するいわゆるインライン方式の４色フルカラーの画像形成装置である。
【００３１】
画像形成装置Ａは転写材担持体である搬送ベルト１（転写ベルト）を備えている。転写材Ｐが給紙されてから転写、定着後排紙されるまでの工程は図１３の従来の画像形成装置と同様なので省略し、転写ベルト１のクリーニングの工程について述べる。
【００３２】
上述のベルト１上に付着したトナーの回収法として、本実施例では、従来例と同様の転写手段を構成する転写ローラ３のうち例えば転写ローラ３ｂと３ｄにおいて、バイアス切り替えスイッチ５ｂ、５ｄで、転写ローラ３ｂと３ｄにバイアスを印加する電源を、転写時にて正極性バイアスを印加する電源（転写バイアス電源）４ｂ、４ｄから、逆極性バイアスを印加する電源（主クリーニングバイアス電源）４Ｂ、４Ｄに切り替えて、転写時と逆電界を形成するクリーニングバイアス（主クリーニングバイアス）として、例えば−２．５ｋｖを印加し、正規極性のトナーを感光ドラム２１ｂと２１ｄに逆転写させる。
【００３３】
又、転写ローラ３ａ、３ｃに転写時の電源４ａ、４ｃから同極性のクリーニングバイアス（副クリーニングバイアス）として例えば＋１ｋｖを印加し、反転極性のトナーを感光ドラム２１ａ、２１ｃに逆転写させる。
【００３４】
そして、これら感光ドラム２１に逆転写されたトナーを廃トナーとして、画像形成部であるプロセスステーション２内の像担持体クリーニング手段を構成する廃トナー容器２６（２６ａ、２６ｂ、２６ｃ、２６ｄ）に回収するようにしている。
【００３５】
以上のような働きで転写ベルト１のクリーニングを行うが、クリーニングモードを設けた場合、転写ベルト１を１周回転から転写ローラ３ａ〜３ｄが設置された距離、つまりベルト１の移動方向最上流と最下流に設置された転写ローラ３との間の距離を足した回転距離以上、回転させることで、転写ベルト１の表面全転写領域に、主クリーニングバイアスと副クリーニングバイアスを印加することができるので、転写ベルト１上の全ての不要なトナー、つまり正規極性のトナー及び反対極性のトナーを、感光ドラム２１に逆転写させ、プロセスステーション２内のクリーニング手段２６によって回収することができる。
【００３６】
本発明においては、転写ベルト１のクリーニングを最小の時間で充分に行うことが可能である。
【００３７】
本実施例では、画像形成装置内に、装置が設置されている雰囲気を検出する環境検出手段（環境検出センサ）（不図示）が搭載されていて、クリーニングモードを実行するときには、環境検出センサの検出結果に基づいて、最適なクリーニング時間を求め、クリーニング動作を実行するものである。
【００３８】
ここで、本画像形成装置においては、転写ベルト１と感光ドラム２１の回転速度は同じ速度でクリーニング時は常に一定とする。なぜなら、従来は、両者の回転速度を異なるものにすることで、クリーニング効果を上げる方法も実施されていたが、両者の摺擦による破損等の問題が生じていたからである。
【００３９】
従って、クリーニング時間を、ベルト１の一定領域に対するクリーニングバイアスを印加する時間とすると、クリーニング時間を長くする方法としては、ベルト１の回転を遅くしてベルト１の１回転におけるクリーニング時間を長くする方法はとられず、ベルト１を多く回転させて、その間の時間クリーニングバイアスをかけ続けることで、ベルトを複数回クリーニングして、合計のクリーニング時間を長くする方法がとられる。
【００４０】
即ち、クリーニング時間とは、クリーニングバイアス印加時でのベルト回転数となる。
【００４１】
そして、クリーニングバイアスの周回数が１回の時間とは、ベルト１が１回転とベルト回転方向で最上流と最下流に設置された転写ローラ３ａと３ｄとの間の距離を進む時間のことをいう。そして、クリーニング時間は、最低でもベルト１回転と転写ローラ３ａと３ｄ間距離を回転する時間（１周回転）より長く設定する。
【００４２】
このようにすれば、ベルトｎ回転の時間において、ベルト１上の全ての位置にあったトナーが、クリーニングが行われるプロセスステーション２ａ〜２ｄをｎ回通過することができるので、最も短い時間で最大のクリーニング効果を得ることができる。
【００４３】
つまり、ベルトｎ周の時間とは、（ベルト１回転と転写ローラ３ａ〜３ｄ間距離進む時間）×ｎの時間のことである。
【００４４】
こうしたクリーニング時間を環境によって選択した、本実施例におけるクリーニングモードにおけるクリーニング動作の概略を図２を用いて説明する。
【００４５】
ｓｔｅｐ１：クリーニング制御を開始する。
【００４６】
Ｓｔｅｐ２：環境検出センサによって、装置が設置している環境を検出する。
【００４７】
Ｓｔｅｐ３：環境検出センサの検出結果、温度Ｔが２０℃以上であるか否かを判別する。
【００４８】
Ｓｔｅｐ４：Ｔが２０℃以上であった場合は、Ｓｔｅｐ４でクリーニング動作即ちクリーニングバイアスを印加し始めてから、ベルトを１周回転させ、その時間分だけクリーニングバイアスを印加する。
【００４９】
Ｓｔｅｐ５：Ｔが２０℃未満であった場合は、Ｓｔｅｐ５でクリーニング動作即ちクリーニングバイアスを印加し始めてから、ベルトを２周回転させ、その時間分だけクリーングバイアスを印加する。
【００５０】
Ｓｔｅｐ６：Ｓｔｅｐ４又はＳｔｅｐ５を行った後に、Ｓｔｅｐ６でクリーニング制御を終了する。
【００５１】
つまり、本実施例では、Ｓｔｅｐ３において、装置の設置環境が低温低湿環境か否かを判断し、低温低湿環境であった場合は、常温常湿環境若しくは高温高湿環境の時よりも、クリーニング時間を長くしている。
【００５２】
図２に示した上記の工程で、環境温度によってクリーニング時間つまりクリーニングバイアスを流している時間におけるベルトの周回転数を変更する効果を説明する。
【００５３】
まず、図３に示したグラフは、各環境温度において、転写ベルト１のクリーニング性を示したものである。
【００５４】
即ち、図３におけるグラフ線ＨＨは３２．５℃の環境、グラフ線ＮＮは２３℃の環境、グラフ線ＬＬは１５℃の環境を示している。そして、この評価は、転写ベルト１上に単色のベタパターンを印字し、転写ローラ３にクリーニングバイアスを印加させながら、ベルト１を回してクリーニングした時の、ベルト１上に残留したトナー量、つまりトナー像の残像の濃度（残濃度）（Ｏ．Ｄ）をＭａｃｂｅｔｈ社製の濃度計ＲＤ９１８で測定した値をプロットした図である。尚、この値は、全くトナー像が形成されていない状態のベルトに対して検出された濃度との差分で示したものである。
【００５５】
ここで、クリーニングバイアスとしては、第２と第４ステーションの転写ローラ３ｂと３ｄには、主クリーニングバイアスの−２．５ＫＶを印加し、第１と第３ステーションの転写ローラ３ａと３ｃには、副クリーニングバイアスの＋１．０ＫＶを印加している。
【００５６】
ドラム２１上に逆転写されたトナーは、各ドラム２１と共にステーション２に具備されている廃トナー容器２６に回収される。このようにして、ベルト１上のトナーがクリーニングされている。
【００５７】
図３にあるように、ベルト１の周回数が増え、即ちクリーニングバイアスをかける時間が多くなるに従って、ベルト１上の残濃度が少なくなっている。これは、ベルト１上のトナーがクリーニングバイアスによって、各ステーション２のドラム２１に多く逆転写されるからである。
【００５８】
つまり、クリーニング時間を長くすることによって、クリーニング効果が向上することは明白となった。
【００５９】
ここで、環境や、トナー乗り量や、トナーの帯電量によらずベルト１上のクリーニングが可能となるが、それぞれの状況に対する本実施例の効果を説明する。
【００６０】
（１）低温低湿環境：図３に示す結果から、ベルト１上のトナーは、高温環境下でクリーニングしやすく、低温環境化でクリーニングし難いことが分る。この原因として、ＬＬの低温環境下では、トナーの帯電量が高いため、トナーがベルト１に強力に付着していることが挙げられる。更に低温環境下では、クリーニングバイアスを印加する部材である転写ベルト１及び転写ローラ３の抵抗が高くなる為、トナーをドラム２１に逆転写させる電流が不足するからである。
【００６１】
この対策として、クリーニングバイアスとして高い電圧を用いれば、ベルト１上のトナーをクリーニングする効果は増大するが、以下の問題が生じる。
【００６２】
即ちドラムメモリの問題である。この問題は、高いクリーニングバイアスを印加すると、ドラム２１に多くの電流が流れてしまう為に、ドラム２１の電荷発生層と電荷輸送層に影響してしまう問題である。過剰にドラム２１に電流が流れることによって、本来画像形成時に、所望の電位に帯電したり、露光時に得る露光電位を得ることができなくなってしまう。そうするとハーフトーン画像等で、画像濃度が均一でなくなってしまう欠陥が生じてしまう。
【００６３】
そのため、本実施例では、ドラムメモリが発生しない範囲の電圧を用いていて、具体的には、主クリーニングバイアスを−２．５ＫＶとし、副クリーニングバイアスを＋１．０ＫＶにしていることで、ドラムメモリが発生するのを防ぎ、電圧をこれ以上上げないで、ベルト１の回転数を上げてクリーニング時間を長くすることでクリーニング性を向上させている。
【００６４】
（２）トナー乗り量：ベルト１クリーニング時間を長くすると、クリーニングブレードを使用しなくとも乗り量の多いトナーを除去することができる。
【００６５】
即ち、上記に説明した以外の転写体クリーニング方法で、ベルト１にブレード状部材を当接させ、ベルト１を移動させることでベルト１上のトナーを掻き取るブレードクリーニング方式を実施することで、機械的にベルト１上に残ったトナーを機械的に掻き取るので、例えばベルト１上に乗り量の多いベタ画像があっても問題なくクリーニングできていた。
【００６６】
しかしながら、固定されたブレードに当接してベルト１が移動する構成であったため、ベルト１とブレードとが摺擦し、両部材が破損しやすいという問題があった。
【００６７】
そこで、本実施例のバイアスを印加し、静電的にクリ−ニングを行う方式においては、ベルト１上のトナー乗り量が多い場合、例えばベタ画像の場合は、クリーニングを行う時間を長くしてこの問題を解決することとした。
【００６８】
本実施例のように、静電的にベルト１上のトナーをドラム側に戻す方式においては、クリーニングバイアスを印加するとベルト１の表層側のトナーから回収されることになる。本実施例のような静電クリーニング方式においては、ベルト１上にトナーが２〜３層形成されているベタ画像の場合は、表層から徐々に電界によってドラム２１側に戻すため、長い時間かけてクリーニングする必要がある。
【００６９】
（３）トナー帯電量：ベルト１上にあるトナーの帯電量が低い場合は、クリーニングバイアスを印加して、ベルト１上のトナーに放電を与えることで、トナーの帯電を整えてからクリーニングさせることになる。この場合、トナーの帯電は、放電を受ける表層側しか与えることができない。従って、２〜３層あるトナーで形成されたベタ画像がベルト１上にある場合、まず、表層のトナーをしっかり帯電させて、表層のトナーをクリーニングする。
【００７０】
つまり、ベルト１が複数回転する間クリーニングバイアスを流すことで、下層にあったトナーが表面にでてくる為、下層にあったトナーにも放電を与えることができて、トナーを帯電することができる。以上のようにして下層のトナーも帯電できるので、クリ−ニングができる。
【００７１】
以上に説明したように、どのような状況でも、クリーニング時間を長くすることによって、ベルト１上のトナーがクリーニングできるが、本実施例の特徴として、環境に応じてクリーニング時間を変更したことが挙げられる。
【００７２】
クリーニングし難い低温環境下では、常温や高温環境下と比べて、長いクリーニング時間が必要である。そこで、本実施例では、図２に示すクリーニング工程にてＳｔｅｐ３で、クリーニング時間を選択できる。そして、高温高湿下や常温常湿下では、クリーニング時間をベルト１周分としたのに対し、低温環境下では、クリーニング時間をベルトの周回数で２回としている。
【００７３】
ベルト周回数を２回とすると、図３のグラフから明らかなように、ベルト１上のトナー残濃度は、低温低湿下においても０．０５以下とすることができる。ベルト上の残濃度が０．０５以下であれば、実際のプリント動作時に紙が担持されても、紙裏が汚れることが無く問題ないレベルである。
【００７４】
ここで、装置の設置されている環境によらず一律同じ時間だけクリーニングバイアスを印加してしまうと、つまり全ての環境において低温低湿環境下と同じ時間だけベルトのクリーニングを行うと、常温や高温環境下では、無駄に長い時間クリーニングすることとなる。
【００７５】
本実施例によれば、環境によって最適はクリーニング時間を選ぶことができるので、常温や高温環境下でのクリーニング時間を短縮することができ、クリーニング時間をできるだけ短く抑えることが可能である。
【００７６】
実施例２
本実施例の画像形成装置の概略構成は、実施例１で説明した図１と同じであり、転写材Ｐが給紙されてから定着されるまでの動作、及びクリーニング時の動作に関しても同様である。従って、実施例１と同じ部分の説明を省略する。
【００７７】
本実施例も、転写ベルト１のクリーニングを最小の時間で充分に行う能力を得ることができるものである。
【００７８】
本実施例では、図４のブロック図に示した画像形成装置の制御手段１００の一部に、装置の使用履歴を記憶する使用履歴記憶手段（メモリ）１０１が設置されている。メモリ１０１には、装置の使用履歴として具体的には、画像形成回数であるプリントの積算枚数（総プリント枚数）が記憶されていて、クリーニングモードを実行するときには、ＣＰＵ１０２が装置の積算プリント枚数に基づいて、最適なクリーニング時間を求め、それを装置内の電源動作を駆動する電源駆動回路１０３に送信し、転写バイアス電源４を操作し、クリーニング動作を実行するものである。
【００７９】
そのクリーニング動作を図５のフローチャートを用いて説明する。
【００８０】
Ｓｔｅｐ１：クリーニング制御を開始する。
【００８１】
Ｓｔｅｐ２：装置メモリ１０１に記憶されている、総プリント枚数Ｐを読み出す。
【００８２】
Ｓｔｅｐ３：総プリント枚数Ｐが３０Ｋ枚未満であるか否かを判別する。
【００８３】
Ｓｔｅｐ４：Ｐが３０Ｋ枚未満であった場合は、Ｓｔｅｐ４でクリーニング動作即ちクリーニングバイアスを印加し始めてからベルトが１周回転する時間分だけクリーニングバイアスを印加する。
【００８４】
Ｓｔｅｐ５：Ｐが３０Ｋ枚以上であった場合は、Ｓｔｅｐ５でクリーニング動作即ちクリーニングバイアスを印加し始めてからベルトが２周回転する時間分だけクリーングバイアスを印加する。
【００８５】
Ｓｔｅｐ６：Ｓｔｅｐ４又はＳｔｅｐ５を行った後に、Ｓｔｅｐ６でクリーニング制御を終了する。
【００８６】
つまり、本実施例では、Ｓｔｅｐ３において、総プリント枚数Ｐ即ち画像形成回数が所定数以上か否かを判断し、所定数以上の場合は、クリーニング時間を長くしている。
【００８７】
図５に示した上記の工程で、総プリント枚数によってクリーニング時間を変更する効果を説明する。
【００８８】
ここで、図６に示したグラフは、装置の画像形成回数である総プリント枚数（耐久枚数）と転写ベルト１のクリーニング性を示したものである。この評価は、図３と同様に、転写ベルト１上にベタパターンを印字し、転写ローラ３にクリーニングバイアスを印加させながら、ベルト１をクリーニングした時の、ベルト１上に残留したトナー像における濃度（残濃度）（Ｏ．Ｄ）をＭａｃｂｅｔｈ社製の濃度計ＲＤ９１８で測定した値をプロットした図である。
【００８９】
図６を参照すれば明らかなように、装置のプリント枚数が増えると、クリーニング性が悪化することが分る。これは、装置が使用され、プリントを繰り返すと、ベルト１表面が傷ついて凹凸になったり、紙粉が付着することで、ベルト１の離型性が落ちてしまって、ベルト１上にあるトナーの付着力が増加してしまうことが原因と考えられる。よって、装置のプリント耐久が進んだ状態で、クリーニング時間を長くしてクリーニング性を維持している。
【００９０】
本実施例では、プリント枚数が３０Ｋ未満のときは、クリーニング時間をベルト１の周回数１回とし、プリント枚数が３０Ｋ以上になったときは、ベルト周回数を２回としている。ここで、ベルトの回転数の定義は、実施例１に説明したのと同様である。
【００９１】
クリーニング時間をベルト１の２回転とすることで、図６のグラフから明らかなように、ベルト上のトナー残濃度は、０．０５以下にすることができる。ベルト１上の残濃度が０．０５以下であれば、実際のプリント動作時に紙が担持されても、紙裏が汚れることが無く問題ないレベルである。
【００９２】
つまり、クリーニング時間を長くすることによって、クリーニング効果が向上することは明白となった。
【００９３】
実施例１に説明したように、クリーニング性を悪化させる状況、例えば低温低湿環境であったり、ベルト１上のトナー乗り量が大量であったり、トナーの帯電量が低い状況においても、クリーニング時間を長くすることによって、転写ローラ３にクリーニングバイアスを印加することで良好にベルト１をクリーニングできるが、本実施例では、総プリント枚数Ｐに応じてクリーニング時間を変更したことが特徴として挙げられる。
【００９４】
ここで、装置の使用履歴によらず一律同じ時間だけクリーニングバイアスを印加してしまうと、つまり総プリント枚数Ｐが少ない状態においても、耐久後と同じ時間だけベルトクリーニングを行うと、装置がそれほど耐久されていない状態では、無駄に長い時間クリーニングすることとなる。
【００９５】
本実施例によれば、装置本体の使用履歴によって最適なクリーニング時間を選ぶことができるので、装置の使用初期や耐久がさほど進んでいない場合のクリーニング時間を短縮しクリーニングモードの実行時間を短くすることが可能となった。
【００９６】
実施例３
本実施例の画像形成装置の概略構成は、実施例１にて説明した図１とほぼ同じであり、転写材Ｐが給紙されてから定着されるまでの動作、及びクリーニング時の動作に関しても同様である。従って、実施例１と同じ部分の説明を省略する。
【００９７】
本実施例も、転写ベルト１のクリーニングを最小の時間で充分に行う能力を得ることができるものである。
【００９８】
本実施例では、画像形成装置内に、それぞれのプロセスステーション２毎に、トナー像が形成される感光ドラム２１と、転写バイアスを感光ドラム２１と転写材Ｐとの間に印加する時の転写部におけるインピーダンスを検出する不図示のインピーダンス検出手段を有し、インピーダンス検出手段の検出結果に基づいて、実施例１にて説明したクリーニング動作時間を可変にするものである。尚、転写部におけるインピーダンスとは、転写ローラ３から感光ドラム２１と転写材Ｐとの間に印加する転写バイアスのインピーダンスであり、ほとんどが転写ローラ３とベルト１との合計インピーダンスである。
【００９９】
そのクリーニング動作を図７のフローチャートを用いて説明する。
【０１００】
Ｓｔｅｐ１：クリーニング制御を開始する。
【０１０１】
Ｓｔｅｐ２：転写部におけるインピーダンス検出を行う。
【０１０２】
Ｓｔｅｐ３：検出結果より、インピーダンスが小であるか否かを判別する。
【０１０３】
Ｓｔｅｐ４：インピーダンスが小である場合は、Ｓｔｅｐ４でクリーニング動作即ちクリーニングバイアスを印加し始めてからベルトが１周回転する時間分だけクリーニングバイアスを印加する。
【０１０４】
Ｓｔｅｐ５：インピーダンスが大であった場合は、Ｓｔｅｐ５でクリーニング動作即ちクリーニングバイアスを印加し始めてからベルトが２周回転する時間分だけクリーングバイアスを印加する。
【０１０５】
Ｓｔｅｐ６：Ｓｔｅｐ４又はＳｔｅｐ５を行った後に、Ｓｔｅｐ６でクリーニング制御を終了する。
【０１０６】
ここで、Ｓｔｅｐ２にて行うインピーダンス検出方法について説明する。
【０１０７】
本実施例では、所謂ＡＴＶＣ制御によって、インピーダンス検出を行っている。ＡＴＶＣ制御とは、転写ローラ３に図８に示すような電圧を印加して転写バイアスを決定している。即ち、転写バイアスは転写ローラ３に転写材Ｐが存在しないときに一定電流を定電流制御で所定の時間Ｔ１の間付与し、その時の発生電圧から、予め設定した制御式により算出し決定した電圧値を転写材Ｐが存在するときに印加する方式で、所謂、特許文献２で公開されているような制御方式である。本実施例では、各プロセスステーション２は同じ転写ローラ３を用いているので、第１プロセスステーション２ａにてインピーダンス検出を行っており、ここで検出されたインピーダンスは、他のプロセスステーション２ｂ、２ｃ、２ｄにおけるインピーダンスと同じものと考える。
【０１０８】
本実施例では、このプリント時の転写バイアスを決定するときに用いるＡＴＶＣ制御の結果を用いて、クリーニング時の転写バイアスをも決定するものである。
【０１０９】
具体的には、第１ステーション２ａの転写ローラ３ａに３．５μＡ流れる定電流制御を転写ローラ３ａが１周回転すえる時間以上行い、そのときの平均電圧を求める。
【０１１０】
その平均電圧が１．５ＫＶ未満であるときは、転写部におけるインピーダンスが小さいと判断してベルト１の１周分の時間クリーニング動作を実行する。
【０１１１】
又、平均電圧が１．５ＫＶ以上であったときには、インピーダンスが大きいと判断してベルト１の２周分の時間クリーニング動作を実行する。
【０１１２】
このように、インピーダンス検出結果に基づいて、クリーニング時間を変更する効果を説明する。
【０１１３】
図９に示したグラフは、転写部におけるインピーダンス（Ｖｔｏ（Ｖ））とベルト１のクリーニング性を示したものである。この評価は、転写ベルト１上にベタパターンを印字し、転写ローラ３にクリーニングバイアスを印加させながら、ベルト１を回した時の、ベルト１上の残濃度（Ｏ．Ｄ）をＭａｃｂｅｔｈ社製の濃度計ＲＤ９１８で測定した値をプロットした図である。
【０１１４】
図９を参照すれば明らかなように、転写部におけるインピーダンスＶｔｏが大きくなると、クリーニング性が悪化することが分る。これは、ベルト１や転写ローラ３のインピーダンスが大きくなると、クリーニングに必要な転写電流が不足してクリーニングしにくくなっているからである。よって、転写部におけるインピーダンスが大きい場合は、長くクリーニング時間を設定することで、クリーニング性を維持する。
【０１１５】
本実施例では、インピーダンスが小と検出した場合は、周回数１回とし、インピーダンスが大と検出したベルト周回数を２回としている。
【０１１６】
これによって、図９のグラフから分るとおり、ベルト上のトナー残濃度（Ｏ．Ｄ）は、０．０５以下にすることができる。ベルト上の残濃度が０．０５以下であれば、実際のプリント動作時に転写材である紙が担持されても、紙裏が汚れることが無く問題ないレベルである。
【０１１７】
実施例１に説明したように、クリーニング性を悪化させる状況、例えば低温低湿環境であったり、ベルト１上のトナー乗り量が大量であったり、トナーの帯電量が低い状況においても、クリーニング時間を長くすることによって、転写ローラ３にクリーニングバイアスを印加することで良好にベルト１をクリーニングできるが、本実施例では、転写部におけるインピーダンスに応じてクリーニング時間を変更したことが特徴として挙げられる。
【０１１８】
ここで、転写部におけるインピーダンスによらず一律同じ時間だけクリーニングバイアスを印加するようにすると、つまり転写ローラ３やベルト１のインピーダンスが低い状態でも、クリーニング性の悪い高インピーダンスの状態でベルトのクリーニングを行うと、ベルト１や転写ローラ３の抵抗が低い状態では、無駄に長い時間クリーニングすることになる。
【０１１９】
尚、転写ローラ３やベルト１の抵抗が様々になる理由は、製造バラツキ、使用による抵抗ＵＰ、使用環境の影響などがある。
【０１２０】
以上のように本実施例によれば、転写部におけるインピーダンス検出を行うことで、種々の場合に最適なクリーニング時間を選ぶことができるので、インピーダンスが小さい場合のクリーニング時間を短縮することができるようになった。
【０１２１】
尚、このインピーダンス検出は、クリーニング直前に必ず行う必要はなく、本体が、クリーニングを行う前の最終のインピーダンス検出結果を記憶していてその検出結果に基づいて行ってもよい。このようにすることで、クリーニング時のインピーダンス検出を行う時間を短縮することができる。
【０１２２】
実施例４
本実施例の画像形成装置の概略構成は、実施例１で説明した図１と同じであり、転写材Ｐが給紙されてから定着されるまでの動作、及びクリーニング時の動作に関しても同様である。従って、実施例１と同じ部分の説明を省略する。
【０１２３】
本実施例も、転写ベルト１のクリーニングを最小の時間で充分に行う能力を得ることができるものである。
【０１２４】
本実施例は、クリーニングモードにおいて、実施例３にて説明したような転写部におけるインピーダンスによって、クリーニング時間を調整すると共に、更に、大量にベルト１に残留したトナーをクリーニングするために、ここではプロセスステーション２ｂと２ｄにて印加されている、ベルト１上のトナーを感光ドラム２へと逆転写させるクリーニングバイアス特に大量の正極性トナーを逆転写させるためのバイアス即ち主クリーニングバイアスを決定することを特徴とするものである。
【０１２５】
インピーダンス検出の方法については、先の実施例３で説明した方法と同様であるので説明を省略する。
【０１２６】
次に本実施例の特徴にあたる、インピーダンス検出結果に基づいて、クリーニングバイアスを変える動作フローの概略を示した図１０で説明する。
【０１２７】
Ｓｔｅｐ１：クリーニング制御を開始する。
【０１２８】
Ｓｔｅｐ２：転写ローラ３と転写ベルト１のインピーダンス検出を行う。
【０１２９】
Ｓｔｅｐ３：Ｓｔｅｐ２における検出結果より、インピーダンスが小であるか否かを判別する。
【０１３０】
Ｓｔｅｐ４：インピーダンスが小である場合は、Ｓｔｅｐ４でクリーニングバイアスＶｔｃ１を所定時間Ｔａだけ印加する。
【０１３１】
Ｓｔｅｐ５：インピーダンスが大である場合は、Ｓｔｅｐ５でクリーニングバイアスＶｔｃ２を所定時間Ｔｂだけ印加する。
【０１３２】
Ｓｔｅｐ６：Ｓｔｅｐ４又はＳｔｅｐ５を行った後に、Ｓｔｅｐ６でクリーニング制御を終了する。
【０１３３】
次に、インピーダンス検出結果に基づいて、クリーニングバイアスを変更する効果を説明する。
【０１３４】
ここで、図１１に示したグラフは、主クリーニングバイアスＶｔｃと転写ベルト１と転写ローラ３との合計インピーダンスＶｔｏとベルト１のクリーニング性を示したものである。
【０１３５】
この評価は、転写ベルト１上に２色の１００％のベタ画像を載せて２００％のベタパターンとした状態で、転写ローラ３にクリーニングバイアスを印加させながら、ベルト回した時の、ベルト１上に残留したトナーによる残像の濃度をＭａｃｂｅｔｈ社製の濃度計ＲＤ９１８で測定した値をプロットした図である。
【０１３６】
図１１を参照すれば明らかなように、ベルト１と転写ローラ３との合計インピーダンスＶｔｏが大きくなると、クリーニング性が悪化し、クリーニングバイアスＶｔｃを大きくすることで、クリーニング性が向上し、ベルト１上の残トナー量が少なくなっている。
【０１３７】
これは、ベルト１や転写ローラ３のインピーダンスが大きくなると、クリーニングに必要な転写電流が不足してクリーニングしにくくなっているが、クリーニングバイアスを大きくすることで、ベルト１上のトナーをドラム２１に逆転写させるのに充分な転写電流を得ることができるからである。
【０１３８】
よって、ベルト１上のトナー量が多い場合や転写ローラ３のインピーダンスが大きい場合は、クリーニング時間を長くし、更に大きなクリーニングバイアスを印加するとよりクリーニング性が向上するのである。
【０１３９】
本実施例では、Ｓｔｅｐ４でインピーダンスが小と検出した場合は、クリーニング時間Ｔａを回転数で１回とし、且つクリーニング主バイアスを−２．５ＫＶとしている。
【０１４０】
Ｓｔｅｐ５で、インピーダンスが大と検出した場合は、クリーニング時間Ｔｂをベルト回転数で２回として、且つクリーニング主バイアスを−３．５ＫＶとしている。
【０１４１】
これによって、ベルト上に２００％のベタパターンがあったときで、更に、感光ドラム２１と転写ベルト３との間のインピーダンスが高いときにおいても、高いクリーニングバイアスを用いて、長い時間クリーニングを行うことで、ベルト１上の残濃度を０．０５以下にすることができた（図１１）。ベルト上の残濃度が０．０５以下であれば、実際のプリント動作時に紙が担持されても、紙裏が汚れることが無く問題ないレベルである。
【０１４２】
尚、ベルト１上に２００％のベタ画像が載っていてクリーニングを要する可能性としては、転写ベルト１に、ステーション２間のレジストレーション調整をするための２次色のパッチを形成し、そのパッチをクリーニングする場合や、若しくは、実施例６に説明したような中間転写ベルトを用いた画像形成装置において、例えばマゼンダベタとシアンベタ等で形成される２次色のブルーベタの印字中にＪＡＭが発生した場合等が考えられる。
【０１４３】
以上のように、本実施例によれば、ベルト上に２００％ベタ画像があり、更に、インピーダンスが小さい等のクリーニング性を悪化させる条件が重なった場合において、種々の場合に最適なクリーニング時間を選ぶことができるので、クリーニング時間を短縮することができるようになった。
【０１４４】
尚、本実施例にて説明した主クリーニングバイアスを上げてクリーニング性を向上させる方法は、実施例１、２で説明した低温低湿環境や総プリント枚数の条件でクリーニング時間を長くする構成においても、クリーニング時間を長くする時に主クリーニングバイアスを上げることで適用できる。
【０１４５】
実施例５
本実施例の画像形成装置の概略構成は、実施例１で説明した図１と同じであり、転写材Ｐが給紙されてから定着されるまでの動作、及びクリーニング時の動作に関しても同様である。従って、実施例１と同じ部分の説明を省略する。
【０１４６】
本実施例も、転写ベルト１のクリーニングを最小の時間で充分に行う能力を得ることができるものである。
【０１４７】
本実施例は、クリーニングモードにおいて、実施例３にて説明したような転写部におけるインピーダンスによって、クリーニング時間を調整すると共に、更に、実施例４と同様に、ベルト１上のトナーを感光ドラム２へと逆転写させる転写バイアスを決定するが、本実施例では、主クリーニングバイアスを決定すると共に、更に、反転トナーを逆転写させるための、ここではプロセスステーション２ａと２ｃにて印加される副クリーニングバイアスを変更することが特徴である。副クリーニングバイアスは、即ちベルト１上でトナー帯電が反転している＋トナーをドラム１上に逆転写させるための＋バイアスである。
【０１４８】
本実施例では、クリーニング動作時に＋が印加される第１及び第３ステーション２ａ、２ｃの転写ローラ３に印加される高圧が定電流回路を持っている。このようにすることで、インピーダンスが高いときは、低い電圧がかかり、インピーダンスが大きいときは、高い電圧がかかる。
【０１４９】
＋のクリーニングバイアスがインピーダンスによって自動的に変わるようにしていることで、以下の効果がある。
【０１５０】
即ち、画像形成時に発生するドラムメモリとカブリの問題が解決する。この問題は、インピーダンスが低いときに多くの＋電流がドラムに流れてしまうと、ドラム２１の帯電能に影響することによって発生する。つまり、＋の転写電流が多くドラム２１に流れてしまうことで、ドラム２１の電荷発生層と電荷輸送に影響し、画像形成時にドラム２１を所望の−電位に帯電できなくなってしまうことが原因である。
【０１５１】
ドラム２１が＋メモリをもっていると、所望の−電位まで帯電できないために、ハーフトーン濃度が濃くなってしまったり、カブリが発生してしまう。
【０１５２】
本実施例では、副クリーニングバイアスにてプロセスステーション２ａ及び２ｃにて印加されるバイアスの電流値を一定としたので、インピーダンスが小さい時に過剰な＋のクリーニング電流が印加されるのを防ぐことができ、インピーダンスに依存せずに、ドラムメモリによる不良画像の発生を防ぐことができる。
【０１５３】
本実施例では、副クリーニングバイアスを、インピーダンスに限らずに、＋２．５μＡと一定にした。
【０１５４】
表１は、インピーダンス検出結果Ｖｔｏと副クリーニングバイアス（＋）とドラムメモリ、およびカブリの関係を示す。
【０１５５】
比較例では、本実施例と同様の構成の画像形成装置において、それぞれの転写部のインピーダンス後とに、副クリーニングバイアスを＋５００Ｖ、＋１０００Ｖ、＋２０００Ｖと変化させている。
【０１５６】
【表１】
2005242178.tif 000003
【０１５７】
ドラムメモリ及びカブリの評価は、主クリーニングバイアスは−２．５（ＫＶ）で一定とし、副クリーニングバイアス（＋）の電圧値を振って、クリーニングモードを実行した直後に、ハーフトーン画像を印字させたときの、ドラムメモリとかぶりを評価したものである。
【０１５８】
ドラムメモリはハーフトーン濃度を測定し、濃く測定されている場合はドラムメモリが発生している。本評価で用いたハーフトーンの正常な濃度は０．７で、これより０．７±０．２の画像濃度が計測された場合を○、０．９〜１．０濃度高い場合を△、１．０以上濃度が高い場合を×と判定した。
【０１５９】
カブリは実際の紙上で、目視で分らないレベルを○（２％未満）、かすかに分るレベルを△（２〜４％）、酷くわかるレベルを×（５％以上）と判定した。
【０１６０】
用いた紙はＸＥＲＯＸ社の４０２４で坪量が７５ｇ／ｍ2のものを使用した。カブリ測定は、ＤＥＮＳＩＴＯＭＥＴＥＲ  ＴＣ−６ＤＳ（（有）東京電色製）で測定したものである。基準として、印字しない紙の反射率をもとめておき、実際にプリントしたときの紙上の非画像部を測定した値との差分の値である。
【０１６１】
表１から明らかなように、比較例において、インピーダンスが低いときに、副クリーニングバイアス（＋）を過剰に印加すると、ドラムメモリやかぶりが発生してしまうことが分る。
【０１６２】
本実施例では、副クリーニングバイアスを−２．５μＡとしたので、ドラムメモリやカブリ等の発生がなくかつ良好にベルト上のトナーをクリーニングすることができた。
【０１６３】
実施例６
本実施例では、転写体としてのベルト状部材が、感光ドラム２１から直接トナー像が転写される中間転写体である例について説明する。つまり本発明は、図１２に示したような中間転写方式の画像形成装置においても適用できる。
【０１６４】
図１２の概略構成図にて示される画像形成装置Ｂも、図１に示した画像形成装置Ａと同様に、それぞれ異なる色のトナー像を形成する４個の画像形成部であるプロセスステーション２ａ〜２ｄを有する。つまり、本実施例の画像形成装置は、いわゆるインライン中間転写方式の４色フルカラーの画像形成装置である。
【０１６５】
画像形成装置Ｂでは、転写ベルト１の代わりにベルト状の中間転写体である中間転写ベルト１ａを備えている。そして、各プロセスステーション２から直接にトナー像が重ねて転写され、このトナー像を中間転写ベルト１ａと二次転写手段３０とのニップ部である二次転写部において、給紙カセット１８から給紙ローラ１４によって画像形成装置内に送り出され、レジストローラ１３、レジスト対向ローラ１０に搬送されてきた転写材Ｐに、一括して転写される。二次転写手段３０には、不図示の電源から二次転写バイアスが印加されている。
【０１６６】
ここで、本実施例で上記に説明した以外の部分の構成である、転写ローラ３の構成やプロセスステーション２におけるトナー像形成工程、クリーニングモードにおける動作は実施例１〜５において説明してきたものと同様であるので説明を省略する。
【０１６７】
本実施例のような中間転写方式の画像形成装置においても、ベルト１ａのクリーニング時間を任意に可変できる構成とし、環境や総プリント数、転写部におけるインピーダンス等の条件によって、最適なクリーニング時間を選択することで、良好なベルト１クリーニング性を発揮でき、更に、クリーニング性の良好な条件においては、クリーニング時間を短くし且つクリーニング性が悪化する条件においてはクリーニング時間を長くすることによって、総クリーニング時間を短縮し、又、摩耗等による画像形成部材の劣化等の弊害も防ぐことができる。
【０１６８】
又、実施例１〜５においては感光ドラムである像担持体を複数個備えたフルカラー画像形成装置において、本発明を適用したが、感光ドラムが１個の単色画像形成装置、又、感光ドラムが１個でその周囲に複数個の現像装置を有する画像形成装置においても、本発明は適用できる。
【０１６９】
以上に説明した画像形成装置の構成部品の寸法、材質、形状、及びその相対位置などは、特に特定的な記載がない限りは、この発明の範囲をそれらのみに限定する趣旨のものではない。
【図面の簡単な説明】
【０１７０】
【図１】本発明に係る画像形成装置の一例を示す概略構成図である。
【図２】実施例１における転写体クリーニング動作を示すフローチャートである。
【図３】クリーニング時間とベルト上の残トナー量との関係を示すグラフである。
【図４】実施例２における制御手段のブロック図である。
【図５】実施例２における転写体クリーニング動作を示すフローチャートである。
【図６】クリーニング時間毎の画像形成回数とベルト上の残トナー量との関係を示すグラフである。
【図７】実施例３における転写体クリーニング動作を示すフローチャートである。
【図８】ＡＴＶＣ制御における転写バイアスのかけ方を示すタイミングチャートである。
【図９】クリーニング時間毎の転写部におけるインピーダンスとベルト上の残トナー量との関係を示すグラフである。
【図１０】実施例４における転写体クリーニング動作を示すフローチャートである。
【図１１】主クリーニングバイアス毎の転写部におけるインピーダンスとベルト上の残トナー量との関係を示すグラフである。
【図１２】本発明に係る画像形成装置の他の例を示す概略構成図である。
【図１３】従来の画像形成装置の一例を示す概略構成図である。
【符号の説明】
【０１７１】
１  転写ベルト（転写体）
１ａ  中間転写ベルト（転写体）
２  プロセスステーション
３  転写ローラ（転写手段）
４ａ、４ｂ、４ｃ、４ｄ  転写バイアス電源
４ａ、４Ｂ、４ｃ、４Ｄ  クリーニングバイアス電源
２１  感光ドラム（像担持体）
２６  廃トナー容器（像担持体クリーニング手段
１０１  メモリ（使用履歴記憶手段）
【図１】
2005242178.tif 000004
【図２】
2005242178.tif 000005
【図３】
2005242178.tif 000006
【図４】
2005242178.tif 000007
【図５】
2005242178.tif 000008
【図６】
2005242178.tif 000009
【図７】
2005242178.tif 000010
【図８】
2005242178.tif 000011
【図９】
2005242178.tif 000012
【図１０】
2005242178.tif 000013
【図１１】
2005242178.tif 000014
【図１２】
2005242178.tif 000015
【図１３】
2005242178.tif 000016